(57)【要約】【課題】  画像形成装置本体、自動原稿送り装置、後処理装置から構成される画像形成システムの用紙送り装置を簡易化する。【解決手段】  用紙収容手段に収容された用紙を１枚ずつ取り出して給送する給紙手段と、給紙手段の用紙給送方向下流側に配置された後処理手段に連通する第１搬送経路と、画像形成装置本体上部に配置された画像読取装置に連通する第２搬送経路と、第１搬送経路と第２搬送経路の何れかに用紙を分岐させる分岐手段と、分岐手段の駆動を制御する制御手段と、用紙収容手段に収容される用紙の種別を選択設定する操作部と、を有し、制御手段は、操作部における用紙の設定により、分岐手段を駆動して、用紙収容手段に収容された用紙を第１搬送経路と第２搬送経路の何れかに分岐させて搬送する。【選択図】        図１
2005096932.tif 000002
【特許請求の範囲】
【請求項１】
用紙を積載して収容する用紙収容手段と、
前記用紙収容手段に収容された前記用紙を１枚ずつ取り出して給送する給紙手段と、
前記給紙手段の用紙給送方向下流側に配置された後処理手段に連通する第１搬送経路と、
前記画像形成装置本体上部に配置された画像読取装置に連通する第２搬送経路と、
前記第１搬送経路と前記第２搬送経路の何れかに前記用紙を分岐させる分岐手段と、
前記分岐手段の駆動を制御する制御手段と、
前記用紙収容手段に収容される前記用紙の種別を選択設定する操作部と、を有し、
前記制御手段は、前記操作部における前記用紙の設定により、前記分岐手段を駆動して、前記用紙収容手段に収容された前記用紙を前記第１搬送経路と前記第２搬送経路の何れかに分岐させて搬送することを特徴とする用紙送り装置。
【請求項２】
前記用紙収容手段は、前記画像形成装置本体から排出される用紙に重ね合わせる表紙用紙またはインサート用紙と、前記画像読取装置により読み取る原稿用紙との何れかを選択して収容可能であることを特徴とする請求項１に記載の用紙送り装置。
【請求項３】
前記後処理手段は、前記第１搬送経路により搬送される前記表紙用紙またはインサート用紙に、穿孔処理、綴じ処理、折り処理を行うことを特徴とする請求項１又は２に記載の用紙送り装置。
【請求項４】
前記画像読取装置は、前記第２搬送経路により搬送される前記用紙を前記画像読取装置に搬送する自動原稿送り装置を備えたことを特徴とする請求項１又は２に記載の用紙送り装置。
【請求項５】
前記請求項１乃至４に記載の画像形成装置本体、画像読取装置、自動原稿送り装置、後処理装置を備えて成ることを特徴とする画像形成システム。
【発明の詳細な説明】
【技術分野】
【０００１】
本発明は、複写機、プリンタ、ファクシミリ、これらの諸機能を有する複合機等の画像形成装置に接続された後処理装置及び画像読取装置の用紙送り装置、及び画像形成システムに関するものである。
【背景技術】
【０００２】
複写機、プリンタ、ファクシミリ、これらの複合機等の画像形成装置本体により画像が記録された多数枚の用紙を、プリント部数毎に丁合して、綴じ手段により綴じ合わせて製本する用紙後処理装置が提供されている。この用紙後処理装置は、画像形成装置本体のプリント機能と接続されて駆動される。
【０００３】
特許文献１に記載された製本装置は、画像形成装置本体により画像が記録された多数枚の用紙と表紙用紙とを中間スタッキング部において重ね合わせた後、仕上げ部において孔あけ又はステイプル綴じ等の製本仕上げを行うものである。
【特許文献１】特開昭６０−１８３４５９号公報
【発明の開示】
【発明が解決しようとする課題】
【０００４】
一般に、複写機等の画像形成装置には、透明原稿台（プラテンガラス）上に載置される原稿の画像を読み取るための走査光学系から成る原稿読取部が装着されている。原稿を搬送する自動原稿送り装置（ＡＤＦ）は、透明原稿台の上部に開閉可能に装着されている。自動原稿送り装置は、原稿収容トレイ、給紙部、搬送部、原稿排出トレイ等から成る。
【０００５】
特許文献１に記載された製本装置は、複写機に接続された製本装置に、表紙供給用のフィーダを備えたものである。
【０００６】
このような製本装置を接続した画像形成装置では、自動原稿送り装置と表紙供給用フィーダとをそれぞれ別個に装着するため、装置が大型化する。
【０００７】
本発明は、このような従来技術の問題を解決し、自動原稿送り装置と表紙供給用フィーダの機構の簡易化と小型化を達成する事を目的とするものである。
【課題を解決するための手段】
【０００８】
上記目的は、本発明の下記の用紙送り装置により解決される。
【０００９】
（１）  用紙を積載して収容する用紙収容手段と、前記用紙収容手段に収容された前記用紙を１枚ずつ取り出して給送する給紙手段と、前記給紙手段の用紙給送方向下流側に配置された後処理手段に連通する第１搬送経路と、前記画像形成装置本体上部に配置された画像読取装置に連通する第２搬送経路と、前記第１搬送経路と前記第２搬送経路の何れかに前記用紙を分岐させる分岐手段と、前記分岐手段の駆動を制御する制御手段と、前記用紙収容手段に収容される前記用紙の種別を選択設定する操作部と、を有し、前記制御手段は、前記操作部における前記用紙の設定により、前記分岐手段を駆動して、前記用紙収容手段に収容された前記用紙を前記第１搬送経路と前記第２搬送経路の何れかに分岐させて搬送することを特徴とする用紙送り装置。
【００１０】
（２）  前記用紙収容手段は、前記画像形成装置本体から排出される用紙に重ね合わせる表紙用紙またはインサート用紙と、前記画像読取装置により読み取る原稿用紙との何れかを選択して収容可能であることを特徴とする前記（１）に記載の用紙送り装置。
【００１１】
（３）  前記後処理手段は、前記第１搬送経路により搬送される前記表紙用紙またはインサート用紙に、穿孔処理、綴じ処理、折り処理を行うことを特徴とする前記（１）又は（２）に記載の用紙送り装置。
【００１２】
（４）  前記画像読取装置は、前記第２搬送経路により搬送される前記用紙を前記画像読取装置に搬送する自動原稿送り装置を備えたことを特徴とする前記（１）又は（２）に記載の用紙送り装置。
【００１３】
（５）  前記（１）乃至（４）に記載の画像形成装置本体、画像読取装置、自動原稿送り装置、後処理装置を備えて成ることを特徴とする画像形成システム。
【発明の効果】
【００１４】
本発明の用紙送り装置により、以下の効果が得られる。
【００１５】
（１）  原稿用紙又は表紙用紙を収容する用紙収容手段から、給紙手段により給送される表紙用紙は第１搬送経路を経て後処理手段に連通し、給紙手段により給送される原稿用紙は第２搬送経路を経て原稿読取装置に連通すること事により、用紙収容手段、給紙手段を共通にする事が可能となり、自動原稿送り装置と表紙給紙手段の機構の簡易化と小型化が達成される。
【００１６】
（２）  用紙収容手段は、表紙用紙またはインサート用紙と、原稿用紙との何れかを選択して装填可能にする事により、給紙手段が兼用され、機構が簡易化される。
【００１７】
（３）  画像形成装置本体から排出される記録用紙に、第１搬送経路により搬送される前記表紙用紙またはインサート用紙を重ね合わせ、穿孔処理、綴じ処理、折り処理を行い冊子を作製する機能の給紙手段と、第２搬送経路により搬送される原稿用紙を画像読取装置に搬送する自動原稿送り装置の給紙手段と、を共通化する事によって、画像形成装置、自動原稿送り装置、後処理装置から成る画像形成システムの機構が簡易化される。
【発明を実施するための最良の形態】
【００１８】
次に、本発明の用紙送り装置を図面に基づいて説明する。
【００１９】
［画像形成装置本体］
図１は画像形成装置本体Ａ、自動原稿送り装置ＤＦ、後処理装置ＦＳ、大容量給紙装置ＬＴから成る画像形成システムの全体構成図である。
【００２０】
図示の画像形成装置本体Ａは、画像読取装置１、画像処理部２、画像書込部３、画像形成部４、給紙カセット５Ａ，５Ｂ，５Ｃ、手差し給紙トレイ５Ｄ、第１給紙部６Ａ，６Ｂ，６Ｃ，６Ｄ、第２給紙部（レジストローラ）６Ｆ、定着装置７、排紙部８、自動両面コピー給紙部（ＡＤＵ）８Ｂを備えている。大容量給紙装置ＬＴは昇降給紙台５Ｅ、第１給紙部６Ｅを備えている。
【００２１】
画像形成装置本体Ａの上部には、後述の自動原稿送り装置ＤＦが搭載されている。画像形成装置本体Ａの図示の左側面の排紙部８側には、後処理装置ＦＳが連結されている。
【００２２】
自動原稿送り装置ＤＦの原稿台上に載置された原稿用紙ｄは搬送されて画像読取装置１の光学系により原稿の片面又は両面の画像が読みとられ、ＣＣＤイメージセンサ１００に読み込まれる。ＣＣＤイメージセンサ１００により光電変換されたアナログ信号は、画像処理部２において、アナログ処理、Ａ／Ｄ変換、シェーディング補正、画像圧縮処理等を行った後、画像書込部３に信号を送る。
【００２３】
画像書込部３においては、半導体レーザからの出力光が画像形成部４の感光体ドラム４Ａに照射され、潜像を形成する。画像形成部４においては、帯電、露光、現像、転写、分離、クリーニング等の処理が行われる。
【００２４】
給紙カセット５Ａ〜５Ｃ、手差し給紙トレイ５Ｄ、大容量給紙装置ＬＴから第１給紙部６Ａ〜６Ｅの各々により給送された用紙（記録用紙）Ｓは、転写手段４Ｂにより画像が用紙Ｓに転写される。画像を担持した用紙Ｓは、定着装置７により定着され、排紙部８から後処理装置ＦＳに送り込まれる。或いは搬送路切換板８Ａにより自動両面コピー給紙部８Ｂに送り込まれた片面画像処理済みの用紙Ｓは再び画像形成部４において、両面画像処理後、排紙部８から排出される。
【００２５】
画像形成装置本体Ａの上部には、操作部９Ａが配置されている。画像形成装置本体Ａの内部には、制御手段９Ｂが配置されている。
【００２６】
［後処理装置］
後処理装置ＦＳには、図示の上段に第１給紙手段２０Ａと第２給紙手段２０Ｂと固定排紙台３０が配置され、中段に穿孔手段４０とシフト手段５０と排紙手段６０がほぼ水平をなす同一平面上に直列配置され、下段に綴じ処理部７０と折り処理部８０が傾斜面をなす同一平面上に直列配置されている。
【００２７】
また、後処理装置ＦＳの図示左側面には、シフト処理済みの用紙Ｓ及び端綴じ処理済みの用紙束Ｓａを積載する昇降排紙台６１と、三つ折り又は二つ折りに折り畳み処理された処理済み用紙束Ｓｂを積載する固定排紙台８１とが配置されている。
【００２８】
画像形成装置本体Ａから搬出された用紙Ｓを受け入れる受入部１０には、画像形成装置本体Ａから画像形成処理された用紙Ｓと、第１給紙手段２０Ａから供給される用紙束間を仕切るインサート用紙と、第２給紙手段２０Ｂから供給される表紙用紙とが導入される。
【００２９】
〈給紙手段〉
第１給紙手段２０Ａの給紙皿内に収容されたインサート用紙又は表紙用紙（以下、これらの用紙を用紙Ｋと称す）は、第１給紙部（給紙手段）２１Ａにより分離、給送され、搬送ローラ２２，２３，２４に挟持されて、受入部１０に導入される。また、第２給紙手段２０Ｂの給紙皿内に収容された用紙Ｋは、第２給紙部（給紙手段）２１Ｂにより分離、給送され、搬送ローラ２３，２４に挟持されて、受入部１０に導入される。
【００３０】
操作部９Ａにおいて用紙収容手段２０１に収容された用紙が用紙Ｋか原稿用紙ｄかを設定する。制御手段９Ｂは、操作部９Ａによる用紙種別の設定に基づいて、分岐手段Ｇ３を駆動させて、用紙収容手段２０１に収容された用紙を第１搬送経路ｒ５と第２搬送経路ｒ６の何れかに分岐させて搬送するように制御する。
【００３１】
穿孔手段４０の用紙搬送方向下流側には、分岐手段Ｇ１，Ｇ２から成る用紙分岐手段が設けられている。分岐手段Ｇ１，Ｇ２は図示しないソレノイドの駆動により三方の用紙搬送路、即ち、上段排紙用の搬送路ｒ１、中段の搬送路ｒ２、下段の搬送路ｒ３の何れかに選択的に分岐させる。
【００３２】
〈単純排紙〉
この用紙搬送が設定されると、分岐手段Ｇ１は搬送路ｒ２、搬送路ｒ３を遮断し、搬送路ｒ１のみを開放する。
【００３３】
搬送路ｒ１を通過する用紙Ｓは、搬送ローラ３１に挟持されて上昇し、排出ローラ３２により排出され、固定排紙台３０上に載置され、順次積載される。固定排紙台３０には最大約２００枚の用紙Ｓを積載することができる。
【００３４】
〈シフト処理〉
この搬送モードに設定されると、分岐手段Ｇ１は上方に退避し、分岐手段Ｇ２は搬送路ｒ３を遮断し、搬送路ｒ２を開放し用紙Ｓの通過を可能にする。用紙Ｓは分岐手段Ｇ１，Ｇ２の間に形成された通紙路を通過する。
【００３５】
画像形成装置本体Ａより排出された画像形成済みの用紙Ｓ、又は、第１給紙手段２０Ａから給送された用紙Ｋ、或いは、第２給紙手段２０Ｂから給送された用紙Ｋは、分岐手段Ｇ１，Ｇ２の中間通紙路を通過して、シフト手段５０により用紙搬送方向に直交する方向に所定量移動するようにシフト処理され、排紙方向に搬送される。
【００３６】
シフト手段５０は所定の枚数毎に、搬送幅方向に用紙Ｓの排紙位置を変えるシフト処理を行う。シフト処理された用紙Ｓは、排紙手段６０により機外の昇降排紙台６１に排出され順次載置される。
【００３７】
〈綴じ処理〉
画像形成装置本体Ａの操作部において綴じ処理または折り処理が設定されると、画像形成装置本体Ａ内で画像形成処理されて、後処理装置ＦＳの受入部１０に送り込まれた画像形成済みの用紙Ｓは、穿孔手段４０を通過し、分岐手段Ｇ２の下方の搬送路ｒ３に送り込まれ、搬送ローラ７１，７２に挟持されて下方に搬送される。
【００３８】
用紙Ｓは、更に下流の入口搬送ローラ対７３により挟持されて送り出され、傾斜配置された用紙載置台（スタッカ）７４の上方空間に排出され、用紙載置台７４または用紙載置台７４上に積載された用紙Ｓの上面に接し、斜め上方に搬送される。用紙Ｓの進行方向後端部が入口搬送ローラ対７３の挟持位置から排出されたのちには、用紙Ｓの自重により下降に転じ、用紙載置台７４の傾斜面上を搬送され、打針機構と受針機構とから成る綴じ手段（ステイプラ）７５近傍の端綴じ用の第１突当部材７６の用紙突当面に用紙Ｓの端部が当接して停止する。
【００３９】
この停止位置において、用紙載置台７４上に所定枚数の用紙Ｓが積載、整合されると、綴じ手段７５により綴じ合わせ処理が行われ、用紙束Ｓａが綴じ合わされる。
【００４０】
綴じ処理された用紙束Ｓａは、排出ベルト７７の排出爪により用紙Ｓの端部が保持されて、用紙載置台７４斜め上方に押し上げられ、排紙手段６０の排出ローラに挟持され、昇降排紙台６１上に排出、積載される。
【００４１】
〈中綴じ処理〉
綴じ手段７５は、打針機構と受針機構との２分割構造に構成され、その中間に用紙Ｓが通過可能な通紙路を形成している。
【００４２】
中綴じ処理が設定されると、綴じ手段７５の綴じ処理位置（綴じ針の打針位置）近傍の第１突当部材７６が搬送路から待避し、ほぼ同時にそれより下流の中綴じ中折り兼用の第２突当部材７８が通紙路の延長面方向に移動して、通紙路を遮断する。
【００４３】
第２突当部材７８は、用紙Ｋ及び用紙Ｓのサイズ（搬送方向の長さ）が設定又は検知されると、中綴じ処理する用紙束Ｓａの下方の端部に当接する位置に移動して停止する。
【００４４】
用紙Ｋが用紙載置台７４上の所定の停止位置に載置された後、画像形成装置本体Ａから搬出された用紙Ｓが、後処理装置ＦＳの受入部１０から搬送路ｒ３を通過して、用紙載置台７４上に載置された用紙Ｋの上面に順次積載され、用紙Ｓの先端部が第２突当部材７８に当接して位置決めされる。
【００４５】
最終の用紙Ｓが用紙載置台７４上に位置決め載置された後、用紙Ｋと用紙Ｓの全頁とから成る用紙束Ｓａに綴じ手段７５による中綴じ処理を行う。この中綴じ処理により、用紙Ｋ及び用紙Ｓの搬送方向の中央部に綴じ針が打ち込まれる。
【００４６】
〈折り処理〉
綴じ処理部７０の斜め下方には、折り処理部８０が配置されている。中綴じ処理後、第２突当部材７８が用紙束Ｓａの搬送下流方向に直線移動して、通紙路の下流の通路を開放する。移動可能な第２突当部材７８は、上方位置において中綴じ処理時の用紙束Ｓａの停止位置を規制するとともに、下方位置において中折り処理時の用紙束Ｓａの停止位置を規制する。
【００４７】
中綴じ処理された用紙Ｋと用紙Ｓから成る用紙束Ｓａは、第２突当部材７８に用紙束Ｓａの搬送方向の端部が当接して、所定位置に停止する。第２突当部材７８は用紙サイズの設定又は検知結果と駆動手段により所定位置に移動可能である。
【００４８】
折り処理部８０は、折り板８２、第１折り上ローラ８３、第１折り下ローラ８４、第２折りローラ８５等から成り、中綴じ処理された用紙束Ｓａを二つ折り処理又は三つ折り処理する。折り処理されて作製された冊子Ｓｂは、排出されて固定排紙台８１上に載置される。
【００４９】
〈自動原稿送り装置〉
画像形成装置本体Ａ及び後処理装置ＦＳの上部には、自動原稿送り装置ＤＦが配置されている。
【００５０】
図２は、第１給紙手段２０Ａと、自動原稿送り装置ＤＦの入口部の断面図である。
【００５１】
第１給紙手段２０Ａの用紙収容手段２０１内の昇降底板２０２上に積載された用紙Ｋは、図示しない昇降手段により上昇され、用紙Ｋの上面が送り出しローラ２１１の外周面に当接した所定位置で停止する。
【００５２】
給紙信号により送り出しローラ２１１と給紙ローラ２１２が回転を開始する。所定圧力で用紙Ｋの上面に圧接させた送り出しローラ２１１は、用紙Ｋを給紙ローラ２１２と重送防止ローラ２１３との挟持位置に送り込んだ後、用紙面圧接から解除される。重送防止ローラ２１３は図示しないトルクリミッタを介して用紙Ｋに進行方向と逆方向に駆動されていて、図示しない加圧スプリングによる初期圧で給紙ローラ２１２に圧接されている。重送防止ローラ２１３は給紙ローラ２１２と直接接触したとき（挟持部間に用紙Ｋがないとき）、又は１枚の用紙Ｋが挟持部間に送り込まれたとき、トルクリミッタが限界トルクを超えて滑り、給紙ローラ２１２に従動回転する。しかし、用紙Ｋが２枚以上ニップ間に送り込まれた場合、限界トルクが用紙間の摩擦力に打ち勝って、重送防止ローラ２１３を逆回転させ、下側の用紙Ｓを押し戻し多数枚送りを防止している。
【００５３】
この給紙方式は、一般に摩擦分離ローラ方式と呼ばれているもので、多くの給紙装置において実用されている。
【００５４】
用紙収容手段２０１内に用紙Ｋが収容され、給紙開始信号が入力されると、第１給紙部２１Ａは用紙Ｋを送り出す。用紙Ｋは搬送路ｒ４を通過し、分岐手段Ｇ３により開放された下方の搬送路である第１搬送経路ｒ５に進入し、搬送ローラ２２，２３，２４に挟持されて搬送された後、画像形成装置本体Ａから排出される用紙Ｓと重ね合わされる（図１参照）。
【００５５】
用紙収容手段２０１内に原稿用紙ｄが収容され、給紙開始信号が入力されると、原稿用紙ｄは第１給紙部２１Ａにより送り出され、搬送路ｒ４を通過し、分岐換手段Ｇ３により開放された上方の搬送路である第２搬送経路ｒ６に進入し、搬送ローラ９１に挟持されて搬送される。
【００５６】
図３は、画像読取装置１と自動原稿送り装置ＤＦを示す断面図である。
【００５７】
画像読取装置１は、プラテンガラス（画像読取部）１０１、光源１０２、ミラー１０３，１０４，１０５、結像光学系１０６、ＣＣＤイメージセンサ１００を有する。
【００５８】
原稿用紙ｄの画像形成面がプラテンガラス１０１の表面に対向するように載置され、例えばハロゲンランプ等の光源１０２により光が投射される。この投射光は原稿用紙ｄの画像形成面で反射され、ミラー１０３，１０４，１０５を介して結像光学系１０６により結像され、ＣＣＤイメージセンサ１００によって電気信号に変換される。
【００５９】
画像読取装置１の上部には、搬送ローラ９１，９２、プラテンガラス１０１が配置されている。搬送ローラ９１によって挟持されて搬送される原稿用紙ｄは、搬送ローラ９１，９２，９３により挟持されて搬送され、プラテンガラス１０１の上面に到達する。
【００６０】
プラテンガラス１０１の上部には、複数対のローラ９４の外周面を巻回する搬送ベルト９５が配置されている。搬送ベルト９５の周速は、原稿用紙ｄの搬送速度と一致するように図示しない駆動手段により回動される。
【００６１】
プラテンガラス１０１の上面に搬送された原稿用紙ｄは、搬送ベルト９５に挟持されて搬送され、所定位置に停止され、画像読取装置１により走査露光される（走査露光読取方式）。或いは、画像読取装置１の光学系を停止した状態で原稿用紙ｄを搬送ベルト９５により移送させつつ走査露光させる（原稿移動読取方式）。
【００６２】
露光処理された原稿用紙ｄは、搬送ベルト９５、排紙ローラ９６に挟持されて排出され、排紙トレイ９７に収容される。
【００６３】
搬送ローラ９１，９２，９３、搬送ベルト９５を保持する筐体９８と、画像読取装置１とは、図示しないヒンジにより係合し、プラテンガラス１０１の上面を開放可能にする。
【００６４】
このようにして、後処理装置ＦＳの最上部に配置した第１給紙手段２０Ａに表紙用紙又はインサート用紙を収容して後処理手段に搬送する後処理機能に対して、第１給紙部に原稿用紙を収容して画像読取部に送る自動原稿送り機能を付加する事により、画像形成システムの簡易化が達成される。
【図面の簡単な説明】
【００６５】
【図１】画像形成装置本体、自動原稿送り装置、後処理装置、大容量給紙装置から成る画像形成システムの全体構成図。
【図２】第１給紙手段と、自動原稿送り装置の入口部の断面図。
【図３】画像読取部と自動原稿送り装置を示す断面図。
【符号の説明】
【００６６】
１  画像読取装置
９Ａ  操作パネル
９Ｂ  制御手段
１０  受入部
２０Ａ  第１給紙手段
２０Ｂ  第２給紙手段
２１Ａ  第１給紙部
２１Ｂ  第２給紙部
７０  綴じ処理部
８０  折り処理部
９１，９２，９３  搬送ローラ
９５  搬送ベルト
９６  排紙ローラ
９７  排紙トレイ
９８  筐体
１０１  プラテンガラス（画像読取部）
２０１  用紙収容手段
Ａ  画像形成装置本体
ＤＦ  自動原稿送り装置
ＦＳ  後処理装置
Ｇ３  分岐手段
Ｋ  用紙（表紙用紙又はインサート用紙）
Ｓ  用紙（記録用紙）
ｄ  原稿用紙
ｒ５  第１搬送経路
ｒ６  第２搬送経路
【図１】
2005096932.tif 000003
【図２】
2005096932.tif 000004
【図３】
2005096932.tif 000005